(57)【要約】【課題】浄化剤保存タンクから水質浄化剤を円滑に流出させることにより、水処理施設及び汚染された水が流入する河川や湖沼等の水域へ水質浄化剤を所定の規定量を維持しながら投入する。【解決手段】水質浄化剤１を貯溜する浄化剤保存タンク２と、所定間隔に複数の滴下孔９を開けたパイプ型状の供給管３と、各滴下孔９に連結したホース１０の束を集約した集約調整弁４と、を備え、汚染水に供給して微生物を活性化させ、その微生物で汚泥と有機化合物、硫化物等の有害物質を分解して水質を浄化する。【選択図】    図１
2004337648.tif 000002
【特許請求の範囲】
【請求項１】
汚染水に投入して微生物を活性化させ、その微生物で汚泥と有機化合物、硫化物等の有害物質を分解して水質を浄化する水質浄化液（１）の投入装置であって、
前記水質浄化液（１）を貯溜する浄化液保存タンク（２）と、
複数の滴下孔（９）を所定間隔に開けたパイプ型状の供給管（３）と、
各滴下孔（９）に連結したホース（１０）の束を集約した集約調整弁（４）と、を備えた、ことを特徴とする水質浄化液の投入装置。
【請求項２】
前記浄化液保存タンク（２）中の水質浄化液（１）を前記集約調整弁（４）へ送出するポンプ（５）を更に備えた、ことを特徴とする請求項１の水質浄化液の投入装置。
【請求項３】
前記浄化液保存タンク（２）の最低水量線（Ｌ）の位置より高い位置に前記供給管（３）を配置した、ことを特徴とする請求項１の水質浄化液の投入装置。
【請求項４】
前記浄化液保存タンク（２）と前記集約調整弁（４）との間に、前記供給管（３）の滴下孔（９）へ前記水質浄化液（１）を常時送出するように構成した水量調整装置（１１）を更に備えた、ことを特徴とする請求項１の水質浄化液の投入装置。
【請求項５】
汚染水に投入して微生物を活性化させ、その微生物で汚泥と有機化合物、硫化物等の有害物質を分解して水質を浄化する水質浄化液（１）の投入装置であって、
前記水質浄化液（１）を貯溜する浄化液保存タンク（２）と、
先端に吐出口（１２）を取り付けた供給管（３）と、
前記吐出口（１２）に連結したホース（１０）と、
前記ホース（１０）へ調整弁（４）を介して前記浄化液保存タンク（２）中の水質浄化液（１）を送出するポンプ（５）と、
を備えた、ことを特徴とする水質浄化液の投入装置。
【請求項６】
前記吐出口（１２）に、前記水質浄化液（１）を滴り落とさせるための吸湿性を有する繊維材（１５）を取り付けた、ことを特徴とする請求項５の水質浄化液の投入装置。
【請求項７】
汚染水に投入して微生物を活性化させ、その微生物で汚泥と有機化合物、硫化物等の有害物質を分解して水質を浄化する水質浄化液（１）の投入装置であって、
前記水質浄化液（１）を貯溜する浄化液保存タンク（２）と、
先端に噴霧口（１３）を取り付けた供給管（３）と、
前記噴霧口（１３）に連結したホース（１０）と、
前記ホース（１０）へ調整弁（４）を介して前記浄化液保存タンク（２）中の水質浄化液（１）を送出するポンプ（５）と、
を備えた、ことを特徴とする水質浄化液の投入装置。
【請求項８】
汚染水に投入して微生物を活性化させ、その微生物で汚泥と有機化合物、硫化物等の有害物質を分解して水質を浄化する水質浄化液（１）の投入装置であって、
前記水質浄化液（１）を貯溜する浄化液保存タンク（２）と、
前記汚染水の水中に設置する台座（１６）上に噴出口（１７）を設けた設置型供給台（１８）と、
前記噴出口（１７）に連結したホース（１０）の束を集約した貯水槽（１９）と、
前記貯水槽（１９）へ前記浄化液保存タンク（２）中の水質浄化液（１）を投入するポンプ（５）と、
を備えた、ことを特徴とする水質浄化液の投入装置。
【請求項９】
汚染水に投入して微生物を活性化させ、その微生物で汚泥と有機化合物、硫化物等の有害物質を分解して水質を浄化する水質浄化液（１）の投入装置であって、
前記水質浄化液（１）を貯溜する浄化液保存タンク（２）と、
前記汚染水上を浮遊させる浮遊体（２０）に噴出口（１７）を取り付けた浮遊型供給台（１８）と、
前記噴出口（１７）に貯水槽（１９）を介して連結したホース（１０）と、
前記貯水槽（１９）へ前記浄化液保存タンク（２）中の水質浄化液（１）を送出するポンプ（５）と、
を備えた、ことを特徴とする水質浄化液の投入装置。
【発明の詳細な説明】
【０００１】
【発明の属する技術分野】
本発明は、生活排水や工場排水等の汚染水について酵素を利用してその水中の微生物群を活性化させ、有害物質等を分解し、酸化した水を還元して水質を浄化する触媒反応による水質浄化技術に係り、特に液状の水質浄化液を汚染水中に投入する水質浄化液の投入装置に関するものである。
【０００２】
【従来の技術】
従来より、生活排水、工場排水を中心にした有機化合物、窒素酸化物、硫化物等の有害物質で汚染された水質を浄化する手段としては、活性汚泥法や散水ろ床法などの種々の方法が提案され、実施されている。例えば、活性汚泥法は、下水等の汚染水に空気を吹き込み、その汚染水中に好気性菌が増殖し、汚染水中の浮遊物を凝集させて沈殿させ、凝集した浮遊物は汚染水中の汚濁成分を吸着してその水質を浄化する方法である。
【０００３】
また、散水ろ床法は、下水等の汚染水を好気性菌の作用によって浄化する方法であり、砕石や多孔質材を敷いたろ床に対して汚染水を回転散水させ、その汚染水の流下によってその表面に微生物膜を発生させ、水質を浄化する方法である。この微生物膜内には多種の微生物が棲息し、汚染水中の汚濁物質を分解し、汚泥を炭酸ガス、水、窒素、アンモニア等にして水質を浄化する。
【０００４】
【特許文献１】
特許文献１の特開平１０−２６３５６９号公報に記載されているように、浄化液（汚泥減量材）を点滴装置によって投入する手段が開示されている。更に、種々の水質浄化液を汚染水中に投入する手段としては、浄化液保存タンクに貯溜している水質浄化液を、ポンプを介してパイプ型の供給管の滴下孔に送出していた。この複数の滴下孔から水質浄化液を汚染水に均一に供給するようになっている。このように汚染水に水質浄化液を供給して微生物を活性化させ、その微生物で汚泥と有機化合物、硫化物等の有害物質を分解して水質を浄化する。
【０００５】
【発明が解決しようとする課題】
上述した従来の水質浄化液を投入する方法は、単純に太いパイプに滴下孔を開けた供給管では、このパイプに液状の水質浄化液を送り込むと、いわゆるサイホン現象が生じ、途中に空気が入り気泡のみが送られるために水質浄化液を送出できなかった。水質浄化液の送出が止まったときは、手作業で調製する必要があるために、所定の規定量を維持しながら水質浄化液を投入することは大変煩雑な作業になるという問題を有していた。
【０００６】
特に、河川やダムなどのように汚染された水が常時流入する場所では、既定量の水質浄化液を常時投入する必要があり、その既定量を維持していかないと、汚染水の浄化が遅延したり、既定量より極端に少ないとその汚染水を浄化することができなかった。逆に、既定量より多く水質浄化液を投入することは、その無駄使いになることであった。そこで、このように汚染された水域に対しては既定量の水質浄化液を常時投入する必要があった。
【０００７】
一方、湖沼や池又は水処理施設のように汚染水が流動しない水域では、投入した水質浄化液を広い範囲に広げる必要がある。しかし、湖沼や池のような広い範囲については、水質浄化液を攪拌することは困難であるという問題を有していた。
【０００８】
本発明は、上述した問題点を解決するために創案されたものである。すなわち本発明の目的は、浄化液保存タンクから水質浄化液を円滑に流出させることにより、水処理施設及び汚染された水が流入する河川や湖沼等の水域へ水質浄化液を所定の規定量を維持しながら投入することができる水質浄化液の投入装置を提供することにある。
【０００９】
【課題を解決するための手段】
本発明によれば、汚染水に投入して微生物を活性化させ、その微生物で汚泥と有機化合物、硫化物等の有害物質を分解して水質を浄化する水質浄化液（１）の投入装置であって、前記水質浄化液（１）を貯溜する浄化液保存タンク（２）と、複数の滴下孔（９）を所定間隔に開けたパイプ型状の供給管（３）と、各滴下孔（９）に連結したホース（１０）の束を集約した集約調整弁（４）と、を備えた、ことを特徴とする水質浄化液の投入装置が提供される。
【００１０】
前記浄化液保存タンク（２）中の水質浄化液（１）を前記集約調整弁（４）へ送出するポンプ（５）を更に備えることが好ましい。前記浄化液保存タンク（２）の最低水量線（Ｌ）の位置より高い位置に前記供給管（３）を配置する。前記浄化液保存タンク（２）と前記集約調整弁（４）との間に、前記供給管（３）の滴下孔（９）へ前記水質浄化液（１）を常時送出するように構成した水量調整装置（１１）を更に備えた。
【００１１】
上記構成の発明では、浄化液保存タンク（２）内の水質浄化液（１）をホース（１０）の束を通して各滴下孔（９）から滴下させることで、この水質浄化液（１）について所定の規定量を維持しながら河川、湖沼、ダム、港湾、沿岸海域等の公共用水域に対して正確に投入することができる。供給管（３）に開けた滴下孔（４）から水面へ水質浄化液（１）を滴下することにより、この水質浄化液（１）を河川等の流下している水面に対して均等に供給することができる。
【００１２】
前記浄化液保存タンク（２）の最低水量線（Ｌ）の位置より高い位置に前記供給管（３）を配置し、サイホン現象を防止して途中に気泡が入ることを阻止することで、所定の規定量を維持しながら水質浄化液（１）を投入することができる。また、集約調整弁（４）によりホース（１０）内の水圧を調整することで、所定の規定量を維持しながら水質浄化液（１）を投入することができる。
【００１３】
汚染水に投入して微生物を活性化させ、その微生物で汚泥と有機化合物、硫化物等の有害物質を分解して水質を浄化する水質浄化液（１）の投入装置であって、前記水質浄化液（１）を貯溜する浄化液保存タンク（２）と、先端に吐出口（１２）を取り付けた供給管（３）と、前記吐出口（１２）に連結したホース（１０）と、前記ホース（１０）へ調整弁（４）を介して前記浄化液保存タンク（２）中の水質浄化液（１）を送出するポンプ（５）と、を備えたものとすることができる。
前記吐出口（１２）に、前記水質浄化液（１）を滴り落とさせるための吸湿性を有する繊維材（１５）を取り付けることができる。
前記吐出口（１２）に代えて噴霧口（１３）を取り付けることができる。
【００１４】
このように浄化しようとする汚染水の水域に応じて、例えば狭い水域のときは吐出口（１２）をそのまま使用し、広範囲の水域のときは吐出口（１２）に噴霧口（１３）を取り付ける。更に、吐出口（１２）に吸湿性の繊維材（１５）を取り付けることで、水質浄化液（１）を滴り落とさせることができ、微妙に少量の水質浄化液（１）であっても、既定量を正確に投入することができる。
【００１５】
汚染水に投入して微生物を活性化させ、その微生物で汚泥と有機化合物、硫化物等の有害物質を分解して水質を浄化する水質浄化液（１）の投入装置であって、前記水質浄化液（１）を貯溜する浄化液保存タンク（２）と、前記汚染水の水中に設置する台座（１６）上に噴出口（１７）を設けた設置型供給台（１８）と、前記噴出口（１７）に連結したホース（１０）の束を集約した貯水槽（１９）と、前記貯水槽（１９）へ前記浄化液保存タンク（２）中の水質浄化液（１）を投入するポンプ（５）と、を備えたものとすることができる。
【００１６】
汚染水が流動せず、かつ水深の浅い水域では、設置型供給台（１８）を用いることで、噴出口（１７）から広範囲に水質浄化液（１）を拡散するように投入することができる。
【００１７】
汚染水に投入して微生物を活性化させ、その微生物で汚泥と有機化合物、硫化物等の有害物質を分解して水質を浄化する水質浄化液（１）の投入装置であって、前記水質浄化液（１）を貯溜する浄化液保存タンク（２）と、前記汚染水上を浮遊させる浮遊体（２０）に噴出口（１７）を取り付けた浮遊型供給台（１８）と、前記噴出口（１７）に貯水槽（１９）を介して連結したホース（１０）と、前記貯水槽（１９）へ前記浄化液保存タンク（２）中の水質浄化液（１）を送出するポンプ（５）と、を備えたものとすることができる。
【００１８】
汚染水が流動せず、かつ水深の深い水域では、浮遊型供給台（１８）を広範囲に移動させながら、噴出口（１７）から水質浄化液（１）を拡散するように投入することができる。
【００１９】
【発明の実施の形態】
以下、本発明の好ましい実施の形態を図面を参照して説明する。
図１は本発明の第一の実施の形態の水質浄化液の投入装置を示す説明配置図である。
第一の実施の形態の水質浄化液の投入装置は、水質浄化液１を貯溜する浄化液保存タンク２と、パイプ型状の供給管３と、集約調整弁４へ浄化液保存タンク２中の水質浄化液１を供給するポンプ５とを備えたものである。この投入装置から水質浄化液１を汚染水に供給して微生物を活性化させ、その微生物で汚泥と有機化合物、硫化物等の有害物質を分解して水質を浄化する。
なお、図１と図２では説明の都合上、浄化液保存タンク２の寸法に対して供給管３の外径寸法が大きくなっている。
【００２０】
浄化液保存タンク２は、水質浄化液１を貯溜するためのポリエチレン又はステンレスタンク等の容器である。この浄化液保存タンク２の上部には、水質浄化液１を補充するための投入口６に蓋７を施錠式に被せた。また、浄化液保存タンク２の側面には水質浄化液１の残量を示す水量計８を取り付けた。
【００２１】
供給管３は、塩ビパイプ、ステンレスパイプ等のパイプに所定間隔に複数の滴下孔９を開けたものである。各滴下孔９にホース１０をそれぞれ連結してあり、これらのホース１０の束を供給管３に内挿し、これら複数本のホース１０の束を集約して集約調整弁４に連結してある。これらのホース１０は、凍結防止用の軟質ポリエチレンホースや軟質ビニールホースを用いた。このように水質浄化液１をホース１０の束を通して各滴下孔９から滴下させることで、水質浄化液１が不用意に滴下することを防止している。
【００２２】
また、供給管３は、水質浄化液１を貯溜している浄化液保存タンク２の最低水量線Ｌの位置より高い位置に配置する。このように配置することで、サイホン現象を阻止して供給管３の滴下孔９から不用意に水質浄化液１が滴下することを防止できる。
【００２３】
このように構成した投入装置では、ポンプ５を作動させて集約調整弁４へ浄化液保存タンク２中の水質浄化液１を送出すると、供給管３に開けた滴下孔４から水面へ水質浄化液１を滴下させることができる。この水質浄化液１を河川、湖沼、ダム、港湾、沿岸海域等の流下している水面に対して均等に供給することができ、かつ水質浄化液１を所定の規定量を維持しながら河川等の公共用水域に対して正確に投入することができる。
【００２４】
この水質浄化液１の滴下する規定量は制御装置（図示していない）により自動制御することが可能である。例えば、河川等の染水中のＢＯＤ値とＣＯＤ値を測定し、その測定値から水質の浄化状況を判断し、その水質の汚染度に関する数値から、水質回復状態を判断して、所定の規定量を算定する。このように正確な滴下量の水質浄化液１を滴下することにより、河川等の流下している水面に水質浄化液１を均等に供給することができる。
【００２５】
本発明の投入装置により投入する水質浄化液１は、例えば、河川等の公共用水域（汚染水）に供給して微生物を活性化させ、その微生物で汚泥と有機化合物、硫化物等の有害物質を分解して水質を浄化する天然酵素に、この汚染水中の微生物を活性化させる触媒機能を促進する機能を有するものである。この天然酵素の一例としてブロメライン酵素があり、このブロメライン酵素は、例えばパイナップル果汁から抽出することができる酵素である。
【００２６】
この水質浄化液１は、浄化液保存タンク２に貯溜することができるものであり、浄化液保存タンク２からホース１０を介して所定量を正確に投入することができるものであれば、このパイナップル果汁から抽出したブロメライン酵素には限定されないことは勿論である。その他種々の水質浄化液を利用することが可能である。
【００２７】
図２は第二の実施の形態の水質浄化液の投入装置を示す説明配置図である。
第二の実施の形態の投入装置では、供給管３の配置位置を浄化液保存タンク２の最低水量線Ｌの位置より低い位置に配置する。このように配置することで、ポンプを用いることなく、供給管３の滴下孔９から水質浄化液１を滴下させることができる。なお、水質浄化液１が不用意に滴下することを防止するために、浄化液保存タンク２と集約調整弁４との間に、常に供給管３の滴下孔９へ水質浄化液１を常時送出するように構成した水量調整装置１１を連結してある。
【００２８】
水量調整装置１１は、閉じた水槽１１ａの浄化液保存タンク２からの連結管１０ｂを接続し、この水槽１１ａの底部に複数本のホース１０を連結したものである。この連結管１１ｂは、水質浄化液１上を浮遊するフロート１１ｃの上下動に応じて、この水槽１１ａ内への水質浄化液１の流入量を調整するようになっている。例えば、水槽１１ａの水位が所定位置より低くなってきたら連結管１１ｂから大量の水質浄化液１を流入し、逆に所定の水位を維持しているときは少量の水質浄化液１を流入する。
【００２９】
図３は供給管に取り付けた吐出口を示す拡大斜視図である。
本発明の投入装置は、上述した複数の滴下孔９に連結したホース１０の束を内挿した供給管３を必ずしも用いる必要はない。図３に示すように、供給管３の先端に吐出口１２を着脱自在に取り付ける。この吐出口１２から水質浄化液１を滴下させることができる。この吐出口１２を用いた投入装置は、狭い水域に対して少量の水質浄化液１を投入するときに適している。
【００３０】
図４は供給管先端の吐出口に水質浄化液を滴り落とさせるための吸湿性を有する繊維材を取り付けた状態を示す拡大斜視図である。
更に、供給管３先端の吐出口１２に水質浄化液１を滴り落とさせるための吸湿性を有する繊維材１５を取り付けることができる。この繊維材１５の毛細管現象を利用して、吐出口１２に水質浄化液１が供給されないときも、繊維材１５上を滴る水質浄化液１を滴下させることができ、微妙に少量の水質浄化液１であっても、規定量の水質浄化液１を汚染水に投入することができる。
【００３１】
図５は供給管に取り付けた、噴霧口を具備した吐出口を示す拡大斜視図である。
この吐出口１２に代えて噴霧口１３を取り付けることにより、水質浄化液１を広範囲に投入することができる。この噴霧口１３の上部には、水質浄化液１の投入量を調節する調節バルブ１４を設けて水質浄化液１の吐出量を微妙に調節することができる。この噴霧口１３は、狭い水域に対して少量ではあるが広い面積に水質浄化液１を投入するときに適している。
【００３２】
図６は水質浄化液の投入装置の第三の実施の形態を示す説明配置図である。
第三の実施の形態では、上述した供給管３に代えて、汚染水の水中に設置させる台座１６上に複数の噴出口１７を設けた設置型供給台１８を備えた。この設置型供給台１８の噴出口１７に複数本のホース１０を連結し、これらを集約した貯水槽１９を介して、浄化液保存タンク２中の水質浄化液１をポンプ５で送出するようになっている。
なお、図６と図７では説明の都合上、浄化液保存タンク２の大きさに対して設置型供給台１８が大きくなっている。
【００３３】
このような設置型供給台１８を用いた投入装置は、例えば池、沼或いは水処理施設のような水深の浅い水域であって流動していない水域に適している。この設置型供給台１８の噴出口１７から広範囲に水質浄化液１を広げて投入することができる。
【００３４】
図７は第三の実施の形態の水質浄化液の投入装置の変形例を示す説明配置図である。
設置型供給台１８上には、必ずしも複数の噴出口１７を設ける必要はなく、図７に示すように単独の噴出口１７を設けることも可能である。
【００３５】
図８は第四の実施の形態の水質浄化液の投入装置を示す説明配置図である。図９は第四の実施の形態の水質浄化液の投入装置の変形例を示す説明配置図である。
第四の実施の形態では、上述した台座１６に代えて、汚染水上を浮遊させる浮遊体２０に噴出口１７を取り付けた浮遊型供給台２１とを備えた。この浮遊型供給台２１の噴出口１７に複数本のホース１０を連結し、これらを集約した貯水槽１９を介して、浄化液保存タンク２中の水質浄化液１をポンプ５で送出するようになっている。
【００３６】
浮遊型供給台２１を用いた投入装置は、例えば湖のような水深が深く、かつ流動していない水域に適している。この浮遊型供給台２１を広範囲に移動させて噴出口１７から水質浄化液１を拡散させて投入することができる。この浮遊型供給台２１には、必ずしも複数の噴出口１７を設ける必要はなく、図９に示すように単独の噴出口１７を設けることも可能である。
【００３７】
本発明の投入装置は、例えば、河川、湖沼、ダム、港湾、沿岸海域における橋梁（図示していない）の下部に設け、ここから水面へ滴下させることが可能である。このように橋梁の下部に設けることで、橋梁とは別の場所に設置した水質浄化液１を充填した浄化液保存タンク２からホース１０を通して、この投入装置へ供給することができる。この浄化液保存タンク２のポンプ５等の操作により、供給管３から水面へ滴下させる。
【００３８】
なお、上述した例では、主に公共用水域に水質浄化液１を滴下して水質を浄化する手段について詳述したが、本発明はこのような実施の形態に限定されない。例えば、水質浄化液であれば規定量を正確に投入することができるために、種々の構成の水域に対応することができる。更に、本発明の要旨を逸脱しない範囲で種々変更できることは勿論である。
【００３９】
【発明の効果】
上述したように、本発明の水質浄化液の投入装置は、水質浄化液をホースの束を通して各滴下孔や吐出口から滴下させることにより、この水質浄化液を所定の規定量を維持しながら河川、湖沼、ダム、港湾、沿岸海域等の公共用水域に対して正確に投入することができる。供給管に開けた滴下孔などから水面へ水質浄化液を滴下することにより、この水質浄化液を河川、海域等の流動している水面、又は湖沼、池、水処理施設のような流動していない水面に対して均等に供給することができる。
【００４０】
また、供給管の配置位置を変化させることで、サイホン現象を防止して途中に気泡が入ることを阻止し、所定の規定量を維持しながら水質浄化液を投入することができる。
【００４１】
水深の浅い水域では、設置型供給台を用いることで、噴出口から広範囲に水質浄化液を拡散させて投入することができ、また水深の深い水域では、浮遊型供給台を広範囲に移動させて噴出口から水質浄化液を拡散させて投入することができる、等の優れた効果を有する。
【図面の簡単な説明】
【図１】本発明の水質浄化液の投入装置の第一の実施の形態を示す説明配置図である。
【図２】第一の実施の形態の投入装置の変形例を示す説明配置図である。
【図３】供給管に取り付けた吐出口を示す拡大斜視図である。
【図４】供給管先端の吐出口に水質浄化液を滴り落とさせるための吸湿性を有する繊維材を取り付けた状態を示す拡大斜視図である。
【図５】供給管に取り付けた、噴霧口を具備した吐出口を示す拡大斜視図である。
【図６】水質浄化液の投入装置の第三の実施の形態を示す説明配置図である。
【図７】第三の実施の形態の水質浄化液の投入装置の変形例を示す説明配置図である。
【図８】第四の実施の形態の水質浄化液の投入装置を示す説明配置図である。
【図９】第四の実施の形態の水質浄化液の投入装置の変形例を示す説明配置図である。
【符号の説明】
１  水質浄化液
２  浄化液保存タンク
３  供給管
４  集約調整弁
５  ポンプ
９  滴下孔
１０  ホース
１１  水量調整装置
１２  吐出口
１３  噴霧口
１５  繊維材
１６  汚染水の水域中に設置する台座
１７  噴出口
１８  設置型供給台
１９  貯水槽
２０  浮遊体
Ｌ  浄化液保存タンクの最低水量線
【図１】
2004337648.tif 000003
【図２】
2004337648.tif 000004
【図３】
2004337648.tif 000005
【図４】
2004337648.tif 000006
【図５】
2004337648.tif 000007
【図６】
2004337648.tif 000008
【図７】
2004337648.tif 000009
【図８】
2004337648.tif 000010
【図９】
2004337648.tif 000011